(57)【要約】【課題】複写装置で両面コピーする場合に、原稿の綴じ方向と出力用紙の綴じ方向との各種組み合わせに対応しつつ、綴じ方向の指定に係わる操作性を高める。【解決手段】読取部３０で読み取る両面原稿の綴じ方向が原稿画像に対して「左右綴じ」か「上下綴じ」かの設定を受け付ける原稿綴じ方向設定手段１１３と、出力綴じ方向の設定を受け付ける出力綴じ方向設定手段１１４と、原稿綴じ方向が設定されたとき、これに連動して出力綴じ方向を自動設定する自動設定手段１１１とを設ける。たとえば、自動設定手段１１１を有効にすれば、原稿綴じ方向と同じ綴じ方向が出力綴じ方向に自動設定される。またユーザは出力綴じ方向設定手段により出力綴じ方向を任意の方向に変更することができる。【選択図】図１
2005140998.tif 000002
【特許請求の範囲】
【請求項１】
両面原稿を両面印刷で複写する機能を備えた複写装置において、
原稿の表裏両面を読み取る両面原稿読取手段と、
転写紙の表裏両面に画像を印刷する両面印刷手段と、
前記両面原稿読取手段で読み取る両面原稿の綴じ方向である原稿綴じ方向が原稿画像に対して左右綴じか上下綴じかの設定を受け付ける原稿綴じ方向設定手段と、
両面原稿を両面印刷で複写する場合に、転写紙に対する綴じ方向である出力綴じ方向を、転写紙上に印刷される画像に対して左右綴じにするか上下綴じにするかを前記原稿綴じ方向設定手段を通じて設定された原稿綴じ方向に連動して設定する自動設定手段と、
両面原稿を両面印刷で複写する場合に、設定された原稿綴じ方向を有する両面原稿が、設定された出力綴じ方向に合った印刷物として複写されるように、両面原稿のおもて面から読み取った画像と両面原稿の裏面から読み取った画像のそれぞれに必要量の回転を与える画像回転手段と、
を有する
ことを特徴とする複写装置。
【請求項２】
両面原稿を両面印刷で複写する機能を備えた複写装置において、
原稿の表裏両面を読み取る両面原稿読取手段と、
転写紙の表裏両面に画像を印刷する両面印刷手段と、
前記両面原稿読取手段で読み取る両面原稿の綴じ方向である原稿綴じ方向が原稿画像に対して左右綴じか上下綴じかの設定を受け付ける原稿綴じ方向設定手段と、
前記出力綴じ方向を、転写紙上に印刷される画像に対して左右綴じにするか上下綴じにするかの設定を受け付ける出力綴じ方向設定手段と、
両面原稿を両面印刷で複写する場合に、転写紙に対する綴じ方向である出力綴じ方向を、転写紙上に印刷される画像に対して左右綴じにするか上下綴じにするかを前記原稿綴じ方向設定手段を通じて設定された原稿綴じ方向に連動して設定する自動設定手段と、
両面原稿を両面印刷で複写する場合に、設定された原稿綴じ方向を有する両面原稿が、設定された出力綴じ方向に合った印刷物として複写されるように、両面原稿のおもて面から読み取った画像と両面原稿の裏面から読み取った画像のそれぞれに必要量の回転を与える画像回転手段とを備え、
前記自動設定手段と前記出力綴じ方向設定手段のいずれからも出力綴じ方向を設定し得るようにした
ことを特徴とする複写装置。
【請求項３】
前記自動設定手段は、出力綴じ方向に、原稿綴じ方向と同じ綴じ方向を設定する
ことを特徴とする請求項１または２に記載の複写装置。
【請求項４】
両面原稿を両面印刷で複写する場合における出力綴じ方向を前記自動設定手段によって設定するか否かの切替機能を有する
ことを特徴とする請求項１、２または３に記載の複写装置。
【請求項５】
前記自動設定手段によって出力綴じ方向が設定される場合に、その旨または設定される出力綴じ方向をユーザに通知する
ことを特徴とする請求項１、２、３または４に記載の複写装置。
【発明の詳細な説明】
【技術分野】
【０００１】
本発明は、両面原稿を両面印刷で複写する機能を備えた複写装置に関する。
【背景技術】
【０００２】
両面原稿を両面印刷で複写（両面コピー）する場合、原稿の綴じ方向と、出力用紙の綴じ方向に応じて４つの組み合わせが考えられる。すなわち、図２０に示すように、（１）原稿がその画像に対して左右綴じで出力用紙が印刷画像に対して左右綴じ、（２）原稿がその画像に対して左右綴じで出力用紙が印刷画像に対して上下綴じ、（３）原稿がその画像に対して上下綴じで出力用紙が印刷画像に対して左右綴じ、（４）原稿がその画像に対して上下綴じで出力用紙が印刷画像に対して上下綴じ、の４種類がある。
【０００３】
左右綴じの場合は、表裏面の画像が同一方向を向いている。一方、上下綴じの場合は、ページをめくると用紙が上下逆になるので、画像を表裏で１８０度回転した状態にしておく必要がある。
【０００４】
このように、綴じ方向によって表裏面で画像の向きが異なることから、各種綴じ方向の組み合わせに対応するために、ユーザから両面原稿の綴じ辺が長辺か短辺かの指定と、出力用紙に対する綴じ辺が長辺か短辺かの指定とを受け付けて、これらの情報を元に画像を適切な向きに回転させて印刷する装置が提案されている。この装置では、ユーザから受け付けたこれらの情報と原稿画像の向きと出力用紙のセット方向に基づいて原稿画像の第１面に対する回転角度と第２面に対する回転角度とをそれぞれ決定し、両面印刷を行なうようになっている（たとえば、特許文献１参照。）。
【０００５】
このほか、原稿の種類（ポートレートかランドスケープか）および原稿のセット方向（短辺送りか長辺送りか）をそれぞれ設定することで、原稿の種類にかかわらず、原稿を原稿台に自由な向きでセットし得るようにした複写機がある（たとえば、特許文献２参照。）。
【０００６】
【特許文献１】特許第３２８９４９７号公報
【特許文献２】特開２００３−１４５８７９号公報
【発明の開示】
【発明が解決しようとする課題】
【０００７】
両面原稿の綴じ辺が長辺か短辺かの指定と、出力用紙に対する綴じ方向が長辺か短辺かの指定を行なうものでは、各種の綴じ方向の組み合わせに対応し得るが、両面コピーを行なうたびに、これら双方の条件を指定しなければならず、設定操作が煩雑になるという問題があった。
【０００８】
本発明は、上記の問題を解決するものであり、両面原稿を両面印刷で複写する場合に、原稿の綴じ方向と出力用紙の綴じ方向との各種組み合わせに対応しつつ、綴じ方向の指定に係わる操作性を高めることを目的としている。
【課題を解決するための手段】
【０００９】
請求項１に係わる発明は、両面原稿を両面印刷で複写する機能を備えた複写装置において、
原稿の表裏両面を読み取る両面原稿読取手段（２０、３０）と、
転写紙の表裏両面に画像を印刷する両面印刷手段（４０）と、
前記両面原稿読取手段（２０、３０）で読み取る両面原稿の綴じ方向である原稿綴じ方向が原稿画像に対して左右綴じか上下綴じかの設定を受け付ける原稿綴じ方向設定手段（１１３、２２０）と、
両面原稿を両面印刷で複写する場合に、転写紙に対する綴じ方向である出力綴じ方向を、転写紙上に印刷される画像に対して左右綴じにするか上下綴じにするかを前記原稿綴じ方向設定手段（１１３、２２０）を通じて設定された原稿綴じ方向に連動して設定する自動設定手段（１１１）と、
両面原稿を両面印刷で複写する場合に、設定された原稿綴じ方向を有する両面原稿が、設定された出力綴じ方向に合った印刷物として複写されるように、両面原稿のおもて面から読み取った画像と両面原稿の裏面から読み取った画像のそれぞれに必要量の回転を与える画像回転手段（１０２ａ、１１２）と、
を有する
ことを特徴とする複写装置である。
【００１０】
上記発明によれば、原稿綴じ方向を設定すると、これに連動して出力綴じ方向が設定される。連動の態様は、たとえば、原稿綴じ方向と同じ綴じ方向に出力綴じ方向が自動設定される等に固定的に定めてもよいし、どのように連動させるかを環境設定などで別途設定し得るように構成してもよい。たとえば、原稿綴じ方向と異なる綴じ方向に出力綴じ方向が自動設定されるように設定するほか、連動させる出力綴じ方向を原稿綴じ方向毎に予めそれぞれ設定し得るように構成するとよい。
【００１１】
「左右綴じ」とは、用紙上の画像に対して左右いずれかの端部を綴じる場合をいう。「上下綴じ」とは、用紙上の画像に対して上下いずれかの端部を綴じる場合をいう。原稿綴じ方向の設定は、原稿画像の向きの指定と原稿の綴じ辺が長辺であるか短辺であるかの指定とを個別に受け付け、これらから、原稿綴じ方向が画像に対して「左右綴じ」か「上下綴じ」かを導出してもよい。
【００１２】
画像回転手段（１０２ａ、１１２）は、原稿綴じ方向、出力綴じ方向のほかに各種の必要パラメータを参照して回転角度を決定する。必要パラメータには、たとえば、原稿の種類（ポートレートかランドスケープか）、原稿のセット方向（短辺送りか長辺送りか）、転写紙のセット方向（短辺送りか長辺送りか）などがある。
【００１３】
請求項２に係わる発明は、両面原稿を両面印刷で複写する機能を備えた複写装置において、
原稿の表裏両面を読み取る両面原稿読取手段（２０、３０）と、
転写紙の表裏両面に画像を印刷する両面印刷手段（４０）と、
前記両面原稿読取手段（２０、３０）で読み取る両面原稿の綴じ方向である原稿綴じ方向が原稿画像に対して左右綴じか上下綴じかの設定を受け付ける原稿綴じ方向設定手段（１１３、２２０）と、
前記出力綴じ方向を、転写紙上に印刷される画像に対して左右綴じにするか上下綴じにするかの設定を受け付ける出力綴じ方向設定手段（１１４、２２０）と、
両面原稿を両面印刷で複写する場合に、転写紙に対する綴じ方向である出力綴じ方向を、転写紙上に印刷される画像に対して左右綴じにするか上下綴じにするかを前記原稿綴じ方向設定手段（１１３、２２０）を通じて設定された原稿綴じ方向に連動して設定する自動設定手段（１１１）と、
両面原稿を両面印刷で複写する場合に、設定された原稿綴じ方向を有する両面原稿が、設定された出力綴じ方向に合った印刷物として複写されるように、両面原稿のおもて面から読み取った画像と両面原稿の裏面から読み取った画像のそれぞれに必要量の回転を与える画像回転手段（１０２ａ、１１２）とを備え、
前記自動設定手段（１１１）と前記出力綴じ方向設定手段（１１４、２２０）のいずれからも出力綴じ方向を設定し得るようにした
ことを特徴とする複写装置である。
【００１４】
上記発明によれば、出力綴じ方向を自動設定手段（１１１）によって設定するほか、出力綴じ方向設定手段（１１４、２２０）を通じてユーザが任意の方向に出力綴じ方向を設定することできる。たとえば、原稿綴じ方向をセットした時点で自動設定手段（１１１）によって出力綴じ方向が自動設定され、その後、出力綴じ方向設定手段（１１４、２２０）を通じてユーザが出力綴じ方向を変更し得るように構成するとよい。必要な場合だけ出力綴じ方向をユーザ設定すればよいので、綴じ方向の各種組み合わせに対応しつつ、綴じ方向の設定に係わる操作負担が軽減される。
【００１５】
請求項３に係わる発明は、前記自動設定手段（１１１）は、出力綴じ方向に、原稿綴じ方向と同じ綴じ方向を設定する
ことを特徴とする請求項１または２に記載の複写装置である。
【００１６】
両面コピーを行なう場合、綴じ方向を含めて元の原稿とそっくり同じものを作成する場合が多い。そこで、かかるケースを自動設定することにより、操作負担が効果的に軽減される。
【００１７】
請求項４に係わる発明は、両面原稿を両面印刷で複写する場合における出力綴じ方向を前記自動設定手段（１１１）によって設定するか否かの切替機能を有する
ことを特徴とする請求項１、２または３に記載の複写装置である。
【００１８】
上記発明によれば、自動設定手段（１１１）によって出力綴じ方向を自動設定するか否かを切り替えることができる。自動設定機能のオンオフ切り替えは、管理者モードで行なうとよい。また自動設定機能のオンオフをユーザ別に設定し得るように構成してもよい。このほか、原稿サイズや原稿の種類、原稿セット方向、転写紙のサイズ、転写紙のセット方向など各種の条件別に自動設定機能のオンオフが設定し得るように構成してもよい。たとえばＡ４原稿の場合は、原稿綴じ方向に連動して出力綴じ方向を自動設定するが、Ａ３原稿の場合は自動設定しない、といような多様なニーズに対応することが可能になる。
【００１９】
請求項５に係わる発明は、前記自動設定手段（１１１）によって出力綴じ方向が設定される場合に、その旨または設定される出力綴じ方向をユーザに通知する
ことを特徴とする請求項１、２、３または４に記載の複写装置である。
【００２０】
上記発明によれば、出力綴じ方向が自動設定手段（１１１）によって自動設定される旨、または自動設定された出力綴じ方向がユーザに通知される。たとえば、メッセージや図柄などで出力綴じ方向を通知する。音声で通知してもよい。
【発明の効果】
【００２１】
本発明に係わる複写装置によれば、原稿綴じ方向を設定すると、これに連動して出力綴じ方向が自動設定されるので、綴じ方向の設定に係わる操作負担が軽減されて操作性が向上する。
【００２２】
自動設定手段と出力綴じ方向設定手段のいずれからも出力綴じ方向を設定し得るものでは、ユーザが任意の出力綴じ方向を設定することが可能になり、原稿の綴じ方向と出力用紙の綴じ方向との各種組み合わせに対応しつつ、自動設定で良い場合には綴じ方向の指定に係わる操作負担を軽減することができる。
【００２３】
自動設定手段が、出力綴じ方向に、原稿綴じ方向と同じ綴じ方向を設定するものでは、両面コピーの多くが、綴じ方向を含めて元の原稿とそっくり同じものを作成するという実情から、綴じ方向の設定に係わる操作負担を効果的に軽減することができる。
【００２４】
出力綴じ方向を自動設定手段によって自動設定するか否かの切替機能を有するものでは、自動設定をオフすることで、ユーザの意図しない出力綴じ方向での両面コピーが防止される。
【００２５】
出力綴じ方向が自動設定手段によって自動設定される旨、または自動設定された出力綴じ方向をユーザに通知するものでは、出力前にユーザが出力綴じ方向を確認し得るので、意図しない出力綴じ方向によるミスコピーが防止される。
【発明を実施するための最良の形態】
【００２６】
以下、図面に基づき本発明の実施の形態を説明する。
【００２７】
図２は、本発明の実施の形態に係わる複写装置１０の断面構成を示している。複写装置１０は、デジタル複写機と称される装置であり、原稿の表裏両面を読み取り、対応する複製画像を転写紙のおもて面と裏面に形成する、いわゆる両面コピー機能を備えている。また、原稿の綴じ方向（原稿綴じ方向）および印刷出力する転写紙に対する綴じ方向（出力綴じ方向）をユーザ設定できるほか、原稿綴じ方向に連動して出力綴じ方向を自動的に設定する自動設定機能を有している。複写装置１０は、設定された綴じ方向やその他の必要パラメータを参照し、転写紙に印刷する画像が、設定された出力綴じ方向に適合した向きになるように、原稿から読み取ったおもて面画像と裏面画像のそれぞれを必要量回転させて印刷するようになっている。
【００２８】
かかる複写装置１０は、自動原稿送り装置２０と、読取部３０と、プリンタ部４０と、後処理装置８０と、大容量給紙トレイ９０とから構成される。自動原稿送り装置（以後、ＡＤＦとも呼ぶ）２０は、原稿載置トレイ２１に積載された原稿２を１枚ずつ読取部３０の読取箇所に送り込む機能を果たす。また、原稿の反転機構を備えており、両面原稿については、片面読取後、表裏を反転してから再び読取部３０へ送り込むようになっている。原稿の表裏両面を読み取る両面原稿読取手段としての機能は、自動原稿送り装置２０と読取部３０とによって実現される。
【００２９】
自動原稿送り装置２０は、原稿載置トレイ２１に積載された原稿を最上部から１枚ずつ順に送り出す給紙ローラ２２と、原稿の読取箇所であるコンタクトガラス３１に原稿を密着させながら通過させるための密着ローラ２３と、給紙ローラ２２によって送り込まれた原稿を密着ローラ２３に沿って案内する案内ローラ２４とを備えている。さらに、コンタクトガラス３１を通過した原稿の進行方向を切り替える切替爪２５と、両面原稿の表裏を反転させるための反転ローラ２６と、読み取りの完了した原稿が排出される排紙トレイ２７とを備えている。
【００３０】
両面原稿の場合は、密着ローラ２３に送られてコンタクトガラス３１上を通過した後、一対の反転ローラ２６の間を通るように切替爪２５によって案内される。原稿の終端部分が反転ローラ２６に到達する直前に反転ローラ２６の回転方向が反転し、かつ切替爪２５が変位して、今度は密着ローラ２３の上側に向けて原稿が送り出される。これにより原稿の表裏が反転する。
【００３１】
密着ローラ２３に送られてコンタクトガラス３１上を再び通過した原稿は再度反転された後、切替爪２５によって排紙トレイ２７に向けて案内されて排出される。片面原稿の場合には、原稿載置トレイ２１から送り出された原稿は密着ローラ２３に沿ってコンタクトガラス３１上を通過した後、そのまま排紙トレイ２７に向けて案内され、排出される。
【００３２】
読取部３０は、自動原稿送り装置２０によって送り込まれた原稿の読取箇所となるスリット状のコンタクトガラス３１と、ユーザの手で原稿が載置されるプラテンガラス３２とを上面に備えている。コンタクトガラス３１およびプラテンガラス３２の下方には、光源３３とミラー３４とから成る露光走査部３５が設けてある。露光走査部３５は、図示省略の駆動手段によりプラテンガラス３２の下面に沿って移動可能に構成されている。光源３３は、コンタクトガラス３１やプラテンガラス３２を通じて原稿を照射し、ミラー３４は原稿からの反射光を受け、その進路をプラテンガラス３２と略平行にする機能を果たす。
【００３３】
読取部３０は、原稿からの反射光を受光し、その光強度に応じた電気信号を出力するラインイメージセンサ３６と、原稿からの反射光をラインイメージセンサ３６へ集光する集光レンズ３７と、露光走査部３５のミラー３４からの反射光をラインイメージセンサ３６へ導くための光学経路を形成する各種のミラー３８とを備えている。ラインイメージセンサ３６は、原稿を主走査方向に走査する機能を有し、たとえば、多数のＣＣＤ素子で構成される。
【００３４】
自動原稿送り装置２０を用いた場合には、流し読み方式で原稿が読み取られる。流し読み方式では、露光走査部３５をコンタクトガラス３１の真下で停止させた状態で、コンタクトガラス３１の上を通過するように原稿を移動させることで副走査を行なって原稿を読み取るようになっている。自動原稿送り装置２０の原稿載置トレイ２１に原稿面を上向きにしてセットされた原稿２は、その左端から給紙ローラ２２に引き込まれた後、密着ローラ２３に沿って反転給紙されてコンタクトガラス３１上の読取箇所を通過する。すなわち、原稿セット状態を上から見て、読取箇所が原稿を左から右へ横切るように移動して原稿の読み取りが行なわれる。
【００３５】
両面印刷手段としてのプリンタ部４０は、画像データに応じた画像を電子写真プロセスによって転写紙（記録部材）上に形成する機能を果たす。プリンタ部４０は、画像データに応じてＯＮ／ＯＦＦするレーザー光を出力するレーザーユニット４２を有している。レーザーユニット４２は、レーザーダイオードと、ポリゴンミラーと、各種レンズおよびミラー等で構成される。プリンタ部４０は、表面に静電潜像が形成される静電潜像担持体としての感光体４３と、その周囲に配置された帯電装置４４と、現像装置４５と、転写装置４６と、分離装置４７と、クリーニング装置４８とを備えている。
【００３６】
感光体４３は、円筒形状を成すとともに、図示省略の駆動部によって一定方向（図中の矢印Ａ方向）に回転される。帯電装置４４は、感光体４３をコロナ放電によって一様に帯電させる機能を果たす。このように一様に帯電された感光体４３の表面を画像データに応じてＯＮ／ＯＦＦするレーザー光で走査することによって、感光体４３の表面に静電潜像が形成される。現像装置４５は、感光体４３の表面に形成された静電潜像をトナーによって顕像化する機能を果たす。
【００３７】
転写装置４６は、電界を与えることで感光体４３の表面のトナー像を転写紙に転写するものであり、分離装置４７は、除電により感光体４３から転写紙を分離する機能を果たす。クリーニング装置４８は、感光体４３に残ったトナーをブレード等で擦って除去して回収する機能を果たす。回収されたトナーは図示省略の経路を通じて現像装置４５に戻される。
【００３８】
プリンタ部４０はさらに、転写紙を給紙する給紙部６０と、給紙された転写紙を感光体４３と転写装置４６との間の転写箇所を通過するように搬送する転写紙搬送部７０と、転写紙上に形成されたトナー像を加圧加熱して転写紙表面に固着固定する定着装置４９を備えている。給紙部６０には、複数の給紙カセット６１があり、通常、サイズや紙種の異なる転写紙が収容される。
【００３９】
各給紙カセット６１の出口近傍には、給紙カセット６１に収容された最上部の転写紙を１枚ずつ転写紙搬送部７０に向けて送り出す第１給紙ローラ６２が設けてある。また各給紙カセット６１の出口には、送り出された転写紙を検知するためのトレイ出口センサー６３が設けてある。転写紙搬送部７０には、最小サイズの転写紙の送り方向サイズより短い間隔で、多数の搬送ローラ７１が設けてある。転写紙搬送部７０のうち、感光体４３と転写装置４６との間の転写箇所に至る少し手前には、転写紙を検知するセンサーや第２給紙ローラなどで構成された第２給紙部７２がある。
【００４０】
定着装置４９の後方（下流）には、転写紙の進路を切り替える進路切替爪７３が配置されている。進路切替爪７３を図中点線で示した水平位置にすると、定着後の転写紙は、矢印Ｃが示すように後処理装置８０へ排出される。進路切替爪７３を図中実線で示した傾斜位置にすると、転写紙は、矢印Ｄの示す方向へ進行し、表裏が反転された後、第２給紙部７２の上流で元の経路に戻り、裏面への記録が行なわれる。
【００４１】
転写紙の反転は、次のようにして行なわれる。定着装置４９から矢印Ｄ方向へ送られた転写紙は一対の反転ローラ７４の間を通るように進行し、転写紙の終端が反転ローラ７４に至る直前に反転ローラ７４の回転方向が反転し、往路と異なる矢印Ｅ方向へ搬送されることで表裏が反転される。
【００４２】
後処理装置８０は、複数の転写紙を束ねてステイプルで綴じたり、パンチで穴を開けたりする機能を有する。
【００４３】
図１は、複写装置１０の電気的構成を示すブロック図である。自動原稿送り装置２０は、図示省略された駆動部の制御等を行なうＡＤＦ制御部２００を有する。読取部３０は、ラインイメージセンサ３６と、スキャナ制御部２１０を備えている。スキャナ制御部２１０は、光源３３の点灯制御や露光走査部３５の移動制御などを行なう。
【００４４】
操作表示部２２０は、ユーザの各種操作を受け付けたり、ユーザに向けて各種情報を表示したりする機能を果たす。操作表示部２２０は、液晶ディスプレイからなる表示部２２１と、その画面上に敷設されたタッチスイッチおよびその他のスイッチから成る操作部２２２と、表示部２２１および操作部２２２の動作を制御する操作制御部２２３とを有している。
【００４５】
プリンタ部４０は、レーザーユニット４２と、プリンタ制御部２３０を備えている。プリンタ制御部２３０は、レーザーユニット４２の有するレーザーダイオードのＯＮ／ＯＦＦ制御やポリゴンミラーの回転制御を行なう。またプリンタ制御部２３０は、帯電装置４４、転写装置４６、分離装置４７への電圧印加、感光体４３の回転、現像装置４５、クリーニング装置４８、定着装置４９、給紙部６０、転写紙搬送部７０等の動作を統括制御する機能を備えている。
【００４６】
ＡＤＦ制御部２００、スキャナ制御部２１０、操作制御部２２３、プリンタ制御部２３０はそれぞれＣＰＵおよびＲＯＭ、ＲＡＭを主要部とする回路で構成され、ＲＯＭに格納されたプログラムに従って各種の制御が実行される。
【００４７】
主制御部１００は、複写装置１０の動作を統括制御する機能を果たす。主制御部１００は、読取処理部１０１と、ＤＲＡＭ制御部１０２と、圧縮伸張部１０３と、画像メモリ１０４と、書込処理部１０５と、画像制御ＣＰＵ１１０と、プログラムメモリ１０６と、システムメモリ１０７と、不揮発性メモリ１０８と、Ｉ／Ｏポート１０９とを備えている。
【００４８】
読取処理部１０１は、読取部３０の出力する画像データに対して拡大処理、鏡像処理、誤差拡散による２値化処理などを施す機能を果たす。圧縮伸張部１０３は、２値化された画像データを圧縮したり、圧縮されたものを伸張したりする機能を果たす。圧縮伸張部１０３は圧縮処理と伸張処理を独立かつ並行に実行できる。画像メモリ１０４は、非圧縮の画像データをページ単位で格納可能なページメモリ１０４ａとしての機能と、圧縮された画像データを格納する圧縮メモリ１０４ｂとしての機能とを果たす。
【００４９】
書込処理部１０５は、画像メモリ１０４から読み出して伸張された画像データをプリンタ部４０の動作に応じたタイミングでレーザーユニット４２へ送出する機能を果たす。ＤＲＡＭ制御部１０２は、ダイナミックＲＡＭからなる画像メモリ１０４へのリード・ライトおよびリフレッシュのタイミング制御や、画像データを圧縮して画像メモリ１０４に格納したり画像メモリ１０４から圧縮データを読み出して伸張したりする際のタイミング制御などを行なう。
【００５０】
またＤＲＡＭ制御部１０２は、画像を回転させる画像回転手段１０２ａとしての機能を果たす。画像回転は、画像データを画像メモリ１０４から読み出してプリンタ部４０へ送る際に行なわれる。詳細には、圧縮伸張部１０３によって伸張した画像データをページメモリ１０４ａに１ページ分格納した後、このページメモリ１０４ａから画像データを格納時と異なる順序で読み出してプリンタ部へ送ることで画像を回転させるようになっている。
【００５１】
画像制御ＣＰＵ１１０は、複写装置１０の動作全体を制御する制御手段としての機能を果す。画像制御ＣＰＵ１１０は、画像データの流れを管理する機能や自動設定手段１１１、回転角決定手段１１２としての機能を果たす。また、操作制御部２２３と協働して原稿綴じ方向設定手段１１３、出力綴じ方向設定手段１１４、切替手段１１５としての機能を果たす。
【００５２】
原稿綴じ方向設定手段１１３は、自動原稿送り装置２０にセットされた両面原稿の綴じ方向（原稿綴じ方向）がその原稿画像に対して左右綴じか上綴じかの設定を受け付けて内部登録する機能を果たす。出力綴じ方向設定手段１１４は、転写紙に印刷される画像に対して左右綴じにするか上綴じにするかの設定を受け付けて内部登録する機能を果たす。
【００５３】
自動設定手段１１１は、両面原稿を両面印刷で複写する場合に、転写紙に対する綴じ方向である出力綴じ方向を、転写紙上に印刷される画像に対して左右綴じにするか上綴じにするかを、両面原稿の原稿綴じ方向に連動して自動設定する機能を果たす。出力綴じ方向設定手段１１４は、自動設定手段１１１による自動設定を実行するか否かの切替設定を受け付けて、切替を履行する。回転角決定手段１１２は、原稿および転写紙の綴じ方向、原稿の種類、原稿のセット方向、原稿サイズ、転写紙サイズなどに基づいて、各画像に対する回転角を決定する機能を果たす。実際の画像回転は画像回転手段１０２ａ等によって行なわれる。
【００５４】
プログラムメモリ１０６は、画像制御ＣＰＵ１１０が実行するプログラムを記憶したメモリであり、システムメモリ１０７は、プログラムの実行中に各種データを一時的に記憶するためのワークメモリである。不揮発性メモリ１０８は、電源ＯＦＦ後も記憶しておくべきユーザデータやシステムデータを記憶するメモリである。Ｉ／Ｏポート１０９には、各種センサやＬＥＤ素子などが接続される。
【００５５】
図３は、原稿綴じ方向と出力綴じ方向との組み合わせと画像の回転角との関係の一例を示している。この回転角一覧表３００は、原稿の種類がポートレートで、原稿載置トレイ２１への原稿セット方向が正セットの場合を示している。正セットとは、画像の天地のうちの天が原稿載置トレイ２１の奥手になる向きで、用紙の長辺が搬送方向先端になるＬＥＦ（ロング・エッジ・フィード）になるセット方向をいう。なお、用紙の短辺が搬送方向先端になる場合をＳＥＦ（ショート・エッジ・フィード）と呼ぶ。
【００５６】
図３において、「出力設定」欄３０１は、印刷された転写紙の綴じ方向である出力綴じ方向と転写紙のセット方向、転写紙のサイズを示している。「Ａ４サイズ転写紙」は、転写紙サイズがＡ４で転写紙セット方向がＬＥＦであることを示している。「Ａ４Ｒサイズ転写紙」は、転写紙サイズがＡ４で転写紙セット方向がＳＥＦであることを示している。「原稿」欄３０２は、原稿載置トレイ２１にセットされた原稿の綴じ方向と、原稿の種類と、原稿のセット方向とを示している。
【００５７】
「Ｅ−ＲＤＨ画像」欄３０３は、読取部３０で読み取った画像を示している。「Ｅ−ＲＤＨ画像」欄３０３の左欄は原稿のおもて面画像を、右欄は原稿の裏面画像をそれぞれ表わしている。「ＳＩＤＥ１書込」欄３０４は、転写紙のおもて面を印刷する際にプリンタ部４０のレーザーユニット４２へ送る画像を示している。「ＳＩＤＥ２書込」欄３０５は、転写紙の裏面を印刷する際にプリンタ部４０のレーザーユニット４２へ送る画像を示している。「出来上がり」欄３０６は、両面印刷済みの転写紙を示している。これは、おもて面が下向きになるように反転排紙された状態の転写紙を排紙トレイの上から見た様子を示している。図中、破線で表わした文字は、用紙の裏側に印刷された状態を表側から透かして見た様子を示している。
【００５８】
原稿綴じ方向が「左右綴じ」の場合は、図中の原稿３１１〜３１３に示すように、原稿のおもて面画像（Ｆ）と裏面画像（Ｇ）とが上下が同じ方向になる。原稿が「左右綴じ」で出力設定が「左右綴じ、Ａ４サイズ」の場合は、図中の最上段に示すように、おもて面画像（Ｆ）と裏面画像（Ｇ）の回転角は共に０度になる。原稿が「左右綴じ」で出力設定が「上綴じ、Ａ４サイズ」の場合は、図中の２段目に示すように、おもて面画像（Ｆ）の回転角は０度に、裏面画像（Ｇ）の回転角は１８０度になる。これにより、上綴じされたページをめくったときに裏面の画像が正立した状態になる。
【００５９】
原稿が「左右綴じ」で出力設定が「左右綴じ、Ａ４Ｒサイズ」の場合は、図中の３段目に示すように、おもて面画像（Ｆ）の回転角は９０度に、裏面画像（Ｇ）の回転角は２７０度になる。出力綴じ方向が「左右綴じ」なので、本来は、おもて面画像と裏面画像の向きは同じでよい。しかし、転写紙をＳＥＬで搬送すると、裏面印刷時の転写紙進行方向がおもて面印刷時に対して１８０度反転する。そこで、この分を打ち消すために裏面画像の回転角は本来の値に１８０度加算した値になっている。同様の理由から、原稿が「左右綴じ」で出力設定が「上綴じ、Ａ４Ｒサイズ」の場合は、図中の４段目に示すように、おもて面画像（Ｆ）の回転角は９０度に、裏面画像（Ｇ）の回転角は９０度になる。
【００６０】
原稿綴じ方向が「上綴じ」の場合は、図中の原稿３２１〜３２３に示すように、原稿のおもて面画像（Ｆ）に対して裏面画像（Ｇ）の向きが１８０度回転した状態になっている。このため、裏面画像（Ｇ）の回転角は、原稿綴じ方向が「左右綴じ」の場合に対してそれぞれ１８０度加算した値になっている。すなわち、原稿が「上綴じ」で出力設定が「左右綴じ、Ａ４サイズ」の場合は、図中の５段目に示すように、おもて面画像（Ｆ）の回転角は０度に、裏面画像（Ｇ）の回転角は１８０度になる。
【００６１】
原稿が「上綴じ」で出力設定が「上綴じ、Ａ４サイズ」の場合は、図中の６段目に示すように、おもて面画像（Ｆ）の回転角と裏面画像（Ｇ）の回転角とは共に０度になる。原稿が「上綴じ」で出力設定が「左右綴じ、Ａ４Ｒサイズ」の場合は、図中の７段目に示すように、おもて面画像（Ｆ）の回転角と裏面画像（Ｇ）の回転角とは共に９０度になる。原稿が「上綴じ」で出力設定が「上綴じ、Ａ４Ｒサイズ」の場合は、図中の最下段に示すように、おもて面画像（Ｆ）の回転角は９０度に、裏面画像（Ｇ）の回転角は２７０度になる。
【００６２】
なお、原稿の種類がポートレートでセット方向がＳＥＦの場合、原稿の種類がランドスケープでセット方向がＬＥＦの場合、原稿の種類がランドスケープでセット方向がＳＥＦの場合についても、図３に示すものと同様に、出力設定と原稿綴じ方向との各組み合わせに対して必要な回転角を予め定めてある。それらの図示および説明は省略する。
【００６３】
次に、原稿綴じ方向のセットに連動して出力綴じ方向を自動設定する自動設定機能について説明する。図４および図５は、原稿載置トレイ２１に載置した原稿のセット方向および原稿綴じ方向を設定する際の画面遷移を示している。図４は、コピー動作を実施する際の基本画面４００の一例である。基本画面４００には、設定内容をユーザに通知するための各種文字や絵柄と、設定内容を変更するための各種操作釦とが配置されている。
【００６４】
図中、斜線を施した操作釦は、その操作釦に係わる設定内容が選択されていることを示している。図４では、「ステイプルソート」釦４０１が選択され、印刷出力する転写紙を後処理装置８０においてステイプルで綴じる旨の設定がなされている。また、「両面→両面」釦４０２が選択され、両面原稿を両面印刷で複写する旨の設定がなされている。
【００６５】
基本画面４００で「原稿設定」釦４０３を操作すると、表示画面が図５に示す原稿設定画面４１０に切り替わる。初期状態では、原稿のセット方向は、正立釦４１１が選択された状態になっている。ユーザは、正立釦４１１、左横向き釦４１２、右横向き釦４１４、倒立釦４１３のいずれかを操作することで、それぞれの釦に対応した向きに原稿がセットされている旨を指定できる。
【００６６】
正立釦４１１に該当する原稿セット方向は、ポートレート原稿を正セット（画像の天地のうちの天が原稿載置トレイ２１の奥手になる向き）してＬＥＦ送りする場合、およびランドスケープ原稿を正セットしてＳＥＦ送りする場合に対応する。左横向き釦４１２に該当する原稿セット方向は、ポートレート原稿を９０度セット（画像の天地のうちの天が原稿載置トレイ２１の左手になる向き）してＳＥＦ送りする場合、およびランドスケープ原稿を９０度セットしてＬＥＦ送りする場合に対応する。
【００６７】
倒立釦４１３に該当する原稿セット方向は、ポートレート原稿を１８０度セット（画像の天地のうちの天が原稿載置トレイ２１の手前になる向き）してＬＥＦ送りする場合、およびランドスケープ原稿を１８０度セットしてＳＥＦ送りする場合に対応する。右横向き釦４１４に該当する原稿セット方向は、ポートレート原稿を２７０度セット（画像の天地のうちの天が原稿載置トレイ２１の右手になる向き）してＳＥＦ送りする場合、およびランドスケープ原稿を２７０度セットしてＬＥＦ送りする場合に対応する。
【００６８】
原稿設定画面４１０には、原稿綴じ方向の設定釦として、「左右とじ」釦４２１と「上とじ」釦４２２が設けてある。原稿綴じ方向のセットに連動して出力綴じ方向を自動設定する自動設定機能がオンになっているときは、「左右とじ」釦４２１または「上とじ」釦４２２を操作することで、自動的に出力綴じ方向が設定される。
【００６９】
具体的には、複写装置１０は、図６に示すような、設定データ登録テーブル４３０をジョブ毎にシステムメモリ１０７に作成する。この設定データ登録テーブルは、ジョブの実行に係わる各種の設定項目の設定内容を登録するものである。原稿綴じ方向が設定されると、その綴じ方向を設定データ登録テーブル４３０の「原稿綴じ方向」欄４３１に設定し、自動設定機能がオンならば、原稿綴じ方向と同じ綴じ方向を「出力綴じ方向」欄４３２に自動設定するようになっている。なお、原稿設定画面４１０の上部表示欄等に、自動設定された出力綴じ方向をメッセージや図柄で案内表示するとよい。
【００７０】
図７は、設定データ登録テーブル４３０に各種の設定内容を登録する設定データ設定処理の流れを示している。表示部２２１に表示中の画面が基本画面４００の状態で（ステップＳ５０１；Ｙ）「原稿設定」釦４０３が操作されると（ステップＳ５０２；Ｙ）、表示する画面を原稿設定画面４１０に変更する（ステップＳ５０３）。原稿設定画面４１０の表示中に（ステップＳ５０１；Ｎ、ステップＳ５０４；Ｙ）、「左右とじ」釦４２１が操作されると（ステップＳ５０５；Ｙ）、設定データ登録テーブル４３０の「原稿綴じ方向」欄４３１に「左右綴じ」を登録する（ステップＳ５０６）。また「上とじ」釦４２２が操作されると（ステップＳ５０７；Ｙ）、設定データ登録テーブル４３０の「原稿綴じ方向」欄４３１に「上綴じ」を登録する（ステップＳ５０８）。
【００７１】
設定データ登録テーブル４３０の「原稿綴じ方向」欄４３１に「左右綴じ」または「上綴じ」を登録した場合は（ステップＳ５０６またはＳ５０８）、原稿綴じ方向に連動して出力綴じ方向を自動設定する自動設定機能がオンになっているかを調べる（ステップＳ５０９）。自動設定機能がオンならば（ステップＳ５０９；Ｙ）、設定データ登録テーブル４３０の「出力綴じ方向」欄４３２に「原稿綴じ方向」欄４３１と同じ綴じ方向を登録する（ステップＳ５１０）。なお、基本画面４００で「原稿設定」釦４０３以外の釦が操作された場合（ステップＳ５０２；Ｎ）や原稿設定画面４１０で「左右とじ」釦４２１や「上とじ」釦４２２以外の釦が操作された場合は（ステップＳ５０４；ＮまたはＳ５０７；Ｎ）、該当するその他の処理が実行される（ステップＳ５１１）。
【００７２】
次に、ユーザ自身が出力綴じ方向を設定する場合について説明する。図４に示す基本画面４００で「出力設定」釦４０４をユーザが操作すると、図８に示す出力設定画面４４０が表示部２２１に表示される。出力設定画面４４０でユーザが「左右とじ」釦４４１を操作すると、設定データ登録テーブル４３０の「出力綴じ方向」欄４３２に「左右綴じ」が設定される。また出力設定画面４４０でユーザが「上とじ」釦４４２を操作すると、設定データ登録テーブル４３０の「出力綴じ方向」欄４３２に「上綴じ」が設定される。
【００７３】
すなわち、ユーザが出力設定画面４４０の「左右とじ」釦４４１や「上とじ」釦４４２を操作しなければ、自動設定機能によって設定された出力綴じ方向がそのまま有効となる。一方、ユーザが出力設定画面４４０の「左右とじ」釦４４１または「上とじ」釦４４２を操作すると、自動設定機能による設定内容に優先してユーザの設定した出力綴じ方向が設定される。
【００７４】
なお、出力設定画面４４０で出力綴じ方向が設定された後に、原稿設定画面４１０で原稿綴じ方向が設定された場合は、出力設定画面４４０におけるユーザ設定を優先し、自動設定機能が働かないように構成するとよい。また、後から設定された内容を優先するように構成し、出力設定画面４４０で出力綴じ方向がユーザ設定された後に原稿設定画面４１０で原稿綴じ方向が設定された場合にも、自動設定機能による設定が有効になるように構成してもよい。
【００７５】
次に、自動設定機能のオンオフ切替機能について説明する。ここでは、自動設定機能をオンするか否かを管理者モードにおいて切り替えるようになっている。図９から図１１は、自動設定機能のオンオフ切り替えに係わる画面遷移を示している。図９は、管理者モードに入るための特定操作を行なうことで表示される「キーオペレータメニュー」画面４５０を示している。この画面４５０には、管理者が設定変更可能な項目が１０項目ずつ一覧表示される。管理者がいずれかの項目を選択操作すると、その項目に対応する詳細設定画面が表示され、各項目のデフォルト状態や初期値などを設定変更し得るようになっている。
【００７６】
「キーオペレータメニュー」画面４５０の下向き矢印釦４１５を操作すると、図１０に示すように、次の１０項目を一覧表示した「キーオペレータメニュー」画面４６０が表示される。この例では、当該画面４６０に表示された「１３」番の「メモリスイッチ」釦４６１を選択操作すると、図１１に示すメモリスイッチ詳細設定画面４７０が表示される。上下にページをスクロールさせて「Ｎｏ５０」の項目欄４７１を表示した後、この項目欄４７１を選択操作し、「設定内容の変更」釦４７２を押下すると、自動設定機能のオンオフが切り替えられる。
【００７７】
自動設定機能をオフに設定しておけば、図７のステップＳ５０９で（Ｎ）と判断され、原稿綴じ方向と同じ綴じ方向が出力綴じ方向に自動設定されなくなる。
【００７８】
次に、両面原稿を両面印刷で複写するいわゆる両面コピー動作を説明する。両面コピー動作は、原稿画像を読み取り、これを圧縮して圧縮メモリ１０４ａに格納するまでの原稿読取動作と、圧縮された画像データを圧縮メモリ１０４ａから読み出し、これを伸張してプリンタ部４０で印刷する画像書込動作との組み合わせで実現されている。
【００７９】
原稿読取動作において画像データは、ラインイメージセンサ３６→読取処理部１０１→ＤＲＡＭ制御部１０２→圧縮伸張部１０３（圧縮）→ＤＲＡＭ制御部１０２→圧縮メモリ１０４ｂの順に流れる。画像書込動作において画像の回転処理を行なわない場合は、圧縮メモリ１０４ｂ→ＤＲＡＭ制御部１０２→圧縮伸張部１０３（伸張）→ＤＲＡＭ制御部１０２→書込処理部１０５→レーザーユニット４２の順に画像データが流れる。回転処理を行なう場合は、圧縮メモリ１０４ｂ→ＤＲＡＭ制御部１０２→圧縮伸張部１０３（伸張）→ＤＲＡＭ制御部１０２→ページメモリ１０４ｂ→書込処理部１０５→レーザーユニット４２の順に画像データが流れるようになっている。
【００８０】
図１２は、両面コピー動作における各部の動作タイミングを示している。図１２では、簡易的に１枚の原稿の表裏両面を読み取った後、これらの画像を１枚の転写紙に両面印刷して出力する場合を示している。時刻Ｔ１１に図示省略のコピースタート釦が操作されると、自動原稿送り装置２０による原稿の搬送が開始するとともに、スキャナ制御部２１０によるスキャナ駆動６０１が開始し、露光走査部３５がコンタクトガラス３１の真下の読取箇所へ移動する。
【００８１】
その後、スキャナ制御部２１０またはＡＤＦ制御部２００からＤＲＡＭ制御部１０２に送られるＳＶＶ（Ｓｃａｎｎｅｒ  Ｖｅｒｔｉｃａｌ  Ｖａｌｉｄ）信号に同期して、原稿のおもて面に対する原稿読取動作６０２が行なわれる。さらに自動原稿送り装置２０の反転機構によって原稿の表裏が反転された後、次のＳＶＶ信号に同期して、原稿の裏面に対する原稿読取動作６０３が行なわれる。
【００８２】
原稿の裏面に対する原稿読取動作６０３が完了すると、転写紙送り出し動作６０４が開始される。また、露光走査部３５をホームポジションに戻すためのスキャナ駆動６０５が行なわれる。第２給紙部７２に到達した転写紙をその先の経路へ送り出す第２給紙送り出し動作６０６は、印刷すべき画像データが揃っていることを条件に実行される。第２給紙送り出し動作６０６の開始後、プリンタ部４０からＤＲＡＭ制御部１０２に送られるＰＶＶ（Ｐｒｉｎｔｅｒ  Ｖｅｒｔｉｃａｌ  Ｖａｌｉｄ）信号に同期して転写紙おもて面への画像書込動作６０７が行なわれる。
【００８３】
その後、転写紙は、図２の定着装置４９、経路Ｄ、反転ローラ７４、経路Ｅなどを経て表裏が反転された後、第２給紙部７２に戻る。裏面に対する画像データが揃っていることを条件に２度目の第２給紙送り出し動作６０８が実行され、ＰＶＶ信号に同期して転写紙裏面への画像書込動作６０９が行なわれる。転写紙は定着装置４９を通って機外に排紙されて、一連の両面コピー動作が完了する。
【００８４】
図１３から図１７は、複写装置１０がジョブの実行を管理する際に使用するジョブテーブルの一例を示している。ジョブテーブルは、システムメモリ１０７に格納される。ジョブテーブル７００には、当該ジョブの各ページに共通する情報であるジョブデータ７０１と、ページ毎に相違する情報であるページデータ７０２とがある。ジョブデータ７０１に登録されるデータには、ジョブの開始時に設定されてその後は変更されない項目と、ジョブの実行中に設定される項目がある。ジョブの開始後に変更されない項目は、設定部数、コピーモード、出力モード、使用トレイ、出力サイズ、原稿綴じ方向、原稿種類・セット方向、原稿サイズ、出力綴じ方向などがある。このうち、コピーモードには、ＡＤＦ片面、ＡＤＦ両面、プラテンのいずれかが設定される。出力モードには、片面または両面のいずれかがセットされる。
【００８５】
ジョブの実行中に設定される項目には、たとえば、出力済み部数、読込済み画像枚数、書込済み画像枚数などがある。これらは該当する処理の実行毎に更新される。ジョブデータ７０１のうち、コピーモード、出力モード、使用トレイ、原稿綴じ方向、原稿種類・セット方向、出力綴じ方向については、コピースタート釦が操作された時点で、図６に示した設定データ登録テーブル４３０の設定内容がコピーされる。ページデータ７０２には、ページ毎に、ページ番号と、出力時画像回転角度と、画像データの格納アドレスとが登録される。画像制御ＣＰＵ１１０は、このようなジョブテーブルを参照して、操作表示部２２０の表示内容や、原稿読取動作、画像書込動作などを制御する。
【００８６】
ジョブテーブル７００への各種のデータセットは、画像読取準備処理および画像書込準備処理によって行なわれる。両面コピーにおいては、図１２に示すように、原稿のおもて面に対する原稿読取動作６０２の直前に、原稿おもて面に対する画像読取準備処理６２１が行なわれ、原稿の裏面に対する原稿読取動作６０３の直前に、原稿裏面に対する画像読取準備処理６２２が行なわれる。また転写紙おもて面への画像書込動作６０７の直前に、転写紙おもて面に対する画像書込準備処理６２３が行なわれ、転写紙裏面への画像書込動作６０９の直前に、転写紙裏面に対する画像書込準備処理６２４が行なわれる。
【００８７】
図１４は、原稿おもて面に対する画像読取準備処理６２１によってデータがセットされた状態のジョブテーブル７１０の一例を示し、図１５は、原稿裏面に対する画像読取準備処理６２２によってデータがセットされた状態のジョブテーブル７２０の一例を示している。図１６は、転写紙おもて面に対する画像書込準備処理６２３によってデータがセットされた状態のジョブテーブル７３０の一例を示し、図１７は、転写紙裏面に対する画像書込準備処理６２４によってデータがセットされた状態のジョブテーブル７４０の一例を示している。
【００８８】
図１８は、画像読取準備処理の流れを示している。コピーモードが「両面→両面」であって（ステップＳ８０１；Ｙ）原稿のおもて面を読み込む場合は（ステップＳ８０２；Ｙ）、ジョブデータ内の「読込済み画像枚数」欄７１４の値に「＋１」したページ番号をもつページデータの「出力時画像回転角度」欄に、ＳＩＤＥ１用の回転角度を、図３の回転角一覧表３００に従って格納する（ステップＳ８０３）。たとえば、図１４に示すジョブテーブル７１０のように、原稿が「Ａ４・正セット・左右綴じ」で転写紙が「Ａ４・左右綴じ」の場合には、図３の最上段の組み合わせに該当するので、「出力時画像回転角度」欄７１１に０度を設定する。このほか、「画像格納アドレス」欄７１２に画像格納アドレスをセットし、ジョブデータ７１３に使用トレイや出力モードなどをセットする。
【００８９】
さらにＤＲＡＭ制御部１０２に圧縮モード（圧縮処理の実行要求）をセットし、圧縮データの格納アドレスをセットする。（ステップＳ８０４）。その後、読取処理部１０１に倍率などをセットし（ステップＳ８０９）、ジョブデータ７１３内の「読込済み画像枚数」欄７１４の値を「＋１」して（ステップＳ８１０）、処理を終了する（終了）。
【００９０】
原稿の裏面を読み込む場合は（ステップＳ８０２；Ｎ）、ジョブデータ内の「読込済み画像枚数」欄７２４の値に「＋１」したページ番号をもつページデータの「出力時画像回転角度」欄に、図３の回転角一覧表３００に従ってＳＩＤＥ２用の回転角度を格納する（ステップＳ８０５）。たとえば、図１５に示すジョブテーブル７２０では、図３の最上段の組み合わせに該当するので、「出力時画像回転角度」欄７２１に「０度」を設定する。このほか「画像格納アドレス」欄７２２に画像格納アドレスをセットし、ジョブデータ７２３に使用トレイや出力モードなどをセットする。
【００９１】
さらにＤＲＡＭ制御部１０２に圧縮モード（圧縮処理の実行要求）をセットし、圧縮データの格納アドレスをセットする。（ステップＳ８０６）。その後、読取処理部１０１に倍率などをセットし（ステップＳ８０９）、ジョブデータ７２３内の「読込済み画像枚数」欄７２４の値を「＋１」して（ステップＳ８１０）、処理を終了する（終了）。
【００９２】
コピーモードが「両面→両面」でない場合は（ステップＳ８０１；Ｎ）、ジョブデータ内の「読込済み画像枚数」欄の値に「＋１」したページ番号をもつページデータの「出力時画像回転角度」欄に各モードに応じた値をセットする。その他、使用トレイ・出力モード・画像格納アドレスをセットする（ステップＳ８０７）。
【００９３】
さらにＤＲＡＭ制御部１０２に圧縮モード（圧縮処理の実行要求）をセットし、圧縮データの格納アドレスをセットする。（ステップＳ８０８）。その後、読取処理部１０１に倍率などをセットし（ステップＳ８０９）、ジョブデータ内の「読込済み画像枚数」欄の値を「＋１」して（ステップＳ８１０）、処理を終了する（終了）。
【００９４】
図１９は、画像書込準備処理の流れを示している。ジョブデータ内「書込済み画像枚数」欄の値に「＋１」したページ番号をもつページデータの「出力時画像回転角度」欄に格納されている回転角度を読み出す（ステップＳ９０１）。この角度が「０度」ならば（ステップＳ９０２；Ｙ）、ＤＲＡＭ制御部１０２に伸張モード（伸張処理の実行要求）をセットし、伸張アドレス（該当ページのページデータに格納されている画像格納アドレス）をセットする（ステップＳ９０３）。
【００９５】
その後、レーザーダイオードのパワー値の設定など、書込処理部１０５に共通な設定処理を行ない（ステップＳ９０７）、ジョブデータ内の「書込済み画像枚数」欄の値を「＋１」して（ステップＳ９０８）処理を終了する（終了）。なお、ジョブデータ内の図示省略した「確定画像枚数」と「＋１」した結果が同じであれば、ジョブデータ内の「出力済み部数」欄の値を「＋１」して、「書込済み画像枚数」欄の値を「０」にする処理も同時に行なわれる。
【００９６】
たとえば、図１２に示す、転写紙おもて面に対する画像書込準備処理６２３では、図１６に示すジョブテーブル７３０を参照して画像書込準備処理が行なわれる。すなわち、ジョブデータ７３１内の「書込済み画像枚数」欄７３２の値が「０」なので、１ページ目のページデータの「出力時画像回転角度」欄７３３や「画像格納アドレス」欄７３４が参照される。また転写紙裏面に対する画像書込準備処理６２４では、図１７に示すジョブテーブル７４０を参照して画像書込準備処理が行なわれる。すなわち、ジョブデータ７４１内の「書込済み画像枚数」欄７４２の値が「１」なので、２ページ目のページデータの「出力時画像回転角度」欄７４３や「画像格納アドレス」欄７４４が参照される。
【００９７】
該当するページデータの「出力時画像回転角度」欄から読み出した回転角度が「０度」でない場合は（ステップＳ９０２；Ｎ）、ＤＲＡＭ制御部１０２にページメモリ伸張モード（含む回転角度）をセットし、伸張アドレスをセットする（ステップＳ９０４）。その後、ＤＲＡＭ制御部１０２に伸張先となるページメモリ１０４ａの先頭アドレスをセットする（ステップＳ９０６）。以後、先に説明したステップＳ９０７、Ｓ９０８を行なって処理を終了する。
【００９８】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、図３に示した回転角度は、複写装置における転写紙の反転方法などに依存したものであり、本発明を適用する複写装置の構成に応じて適宜の値が採用される。
【００９９】
また実施の形態では、上下方向の綴じ方を「上とじ」のみとしたが、「下とじ」を含めた「上下綴じ」としてもよい。「上とじ」と「下とじ」では必要な画像の回転角度は変わらない。
【０１００】
さらに実施の形態では、コピー機能だけを備えた複写装置を例に説明したが、当該機能にプリンタやファクシミリの機能を統合させた、いわゆるデジタル複合機においても本発明を適用することができる。
【図面の簡単な説明】
【０１０１】
【図１】本発明の実施の形態に係わる複写装置の電気的構成を示すブロック図である。
【図２】本発明の実施の形態に係わる複写装置の断面構成を示す説明図である。
【図３】原稿綴じ方向と出力綴じ方向との組み合わせと画像の回転角との関係の一例を示す説明図である。
【図４】本発明の実施の形態に係わる複写装置に表示される基本画面の一例を示す正面図である。
【図５】本発明の実施の形態に係わる複写装置に表示される原稿設定画面の一例を示す正面図である。
【図６】本発明の実施の形態に係わる複写装置が生成する設定データ登録テーブルの一例を示す説明図である。
【図７】本発明の実施の形態に係わる複写装置が行なう設定データ設定処理を示す流れ図である。
【図８】本発明の実施の形態に係わる複写装置に表示される出力設定画面の一例を示す正面図である。
【図９】本発明の実施の形態に係わる複写装置に表示される「キーオペレータメニュー」画面の一例を示す正面図である。
【図１０】「キーオペレータメニュー」画面の他の一例を示す正面図である。
【図１１】本発明の実施の形態に係わる複写装置に表示されるメモリスイッチ詳細設定画面の一例を示す正面図である。
【図１２】両面コピー動作における各部の動作タイミングを示す説明図である。
【図１３】本発明の実施の形態に係わる複写装置がジョブ開始時に生成するジョブテーブルの一例を示す説明図である。
【図１４】原稿おもて面に対する画像読取準備処理によってデータがセットされた状態のジョブテーブルの一例を示す説明図である。
【図１５】原稿裏面に対する画像読取準備処理によってデータがセットされた状態のジョブテーブルの一例を示す説明図である。
【図１６】転写紙おもて面に対する画像書込準備処理によってデータがセットされた状態のジョブテーブルの一例を示す説明図である。
【図１７】転写紙裏面に対する画像書込準備処理によってデータがセットされた状態のジョブテーブルの一例を示す説明図である。
【図１８】本発明の実施の形態に係わる複写装置が行なう画像読込準備処理を示す流れ図である。
【図１９】本発明の実施の形態に係わる複写装置が行なう画像書込準備処理を示す流れ図である。
【図２０】原稿綴じ方向と出力綴じ方向の組み合わせ例を示す説明図である。
【符号の説明】
【０１０２】
１０…複写装置
２０…自動原稿送り装置
２１…原稿載置トレイ
２２…給紙ローラ
２３…密着ローラ
２４…案内ローラ
２５…切替爪
２６…反転ローラ
２７…排紙トレイ
３０…読取部
３１…コンタクトガラス
３２…プラテンガラス
３３…光源
３４…ミラー
３５…露光走査部
３６…ラインイメージセンサ
３７…集光レンズ
３８…各種のミラー
４０…プリンタ部
４２…レーザーユニット
４３…感光体
４４…帯電装置
４５…現像装置
４６…転写装置
４７…分離装置
４８…クリーニング装置
４９…定着装置
６０…給紙部
６１…給紙カセット
６２…第１給紙ローラ
６３…トレイ出口センサー
７０…転写紙搬送部
７１…搬送ローラ
７２…第２給紙部
７３…進路切替爪
７４…反転ローラ
８０…後処理装置
９０…大容量給紙トレイ
１００…主制御部
１０１…読取処理部
１０２…ＤＲＡＭ制御部
１０２ａ…画像回転手段
１０３…圧縮伸張部
１０４…画像メモリ
１０４ａ…ページメモリ
１０４ｂ…圧縮メモリ
１０５…書込処理部
１０６…プログラムメモリ
１０７…システムメモリ
１０８…不揮発性メモリ
１０９…Ｉ／Ｏポート
１１０…画像制御ＣＰＵ
１１１…自動設定手段
１１２…回転角決定手段
１１３…原稿綴じ方向設定手段
１１４…出力綴じ方向設定手段
１１５…切替手段
２００…ＡＤＦ制御部
２１０…スキャナ制御部
２２０…操作表示部
２２１…表示部
２２２…操作部
２２３…操作制御部
２３０…プリンタ制御部
３００…回転角一覧表
３０１…「出力設定」欄
３０２…「原稿」欄
３０３…「Ｅ−ＲＤＨ画像」欄
３０４…「ＳＩＤＥ１書込」欄
３０５…「ＳＩＤＥ２書込」欄
３０６…「出来上がり」欄
４００…基本画面
４０１…「ステイプルソート」釦
４０２…「両面→両面」釦
４０３…「原稿設定」釦
４０４…「出力設定」釦
４１０…原稿設定画面
４１１…正立釦
４１２…左横向き釦
４１３…倒立釦
４１４…右横向き釦
４２１…「左右とじ」釦
４２２…「上とじ」釦
４３０…設定データ登録テーブル
４３１…「原稿綴じ方向」欄
４３２…「出力綴じ方向」欄
４４０…出力設定画面
４４１…「左右とじ」釦
４４２…「上とじ」釦
４５０、４６０…「キーオペレータメニュー」画面
４５１…下向き矢印釦
４６１…「メモリスイッチ」釦
４７０…メモリスイッチ詳細設定画面
４７１…「Ｎｏ５０」の項目欄
４７２…「設定内容の変更」釦
６０１、６０５…スキャナ駆動
６０２…原稿のおもて面に対する原稿読取動作
６０３…原稿の裏面に対する原稿読取動作
６０４…転写紙送り出し動作
６０６…第２給紙送り出し動作
６０７…転写紙おもて面への画像書込動作
６０８…２度目の第２給紙送り出し動作
６０９…転写紙裏面への画像書込動作
６２１…原稿おもて面に対する画像読取準備処理
６２２…原稿裏面に対する画像読取準備処理
６２３…転写紙おもて面に対する画像書込準備処理
６２４…転写紙裏面に対する画像書込準備処理
７００、７１０、７２０、７３０、７４０…ジョブテーブル
７０１、７１３、７２３、７３１、７４１…ジョブデータ
７０２…ページデータ
７１１、７２１、７３３、７４３…「出力時画像回転角度」欄
７１２、７２２、７３４、７４４…「画像格納アドレス」欄
７１４、７２４…「読込済み画像枚数」欄
７３２…「書込済み画像枚数」欄
【図１】
2005140998.tif 000003
【図２】
2005140998.tif 000004
【図３】
2005140998.tif 000005
【図４】
2005140998.tif 000006
【図５】
2005140998.tif 000007
【図６】
2005140998.tif 000008
【図７】
2005140998.tif 000009
【図８】
2005140998.tif 000010
【図９】
2005140998.tif 000011
【図１０】
2005140998.tif 000012
【図１１】
2005140998.tif 000013
【図１２】
2005140998.tif 000014
【図１３】
2005140998.tif 000015
【図１４】
2005140998.tif 000016
【図１５】
2005140998.tif 000017
【図１６】
2005140998.tif 000018
【図１７】
2005140998.tif 000019
【図１８】
2005140998.tif 000020
【図１９】
2005140998.tif 000021
【図２０】
2005140998.tif 000022